(57)【要約】      （修正有）【課題】ローラ構造モジュールの両端にあるスイッチを駆動でき、同時に他にある中央スイッチを駆動することが避けられ、誤作動が防止できる誤作動防止機構を有するローラ構造モジュールを提供する。【解決手段】回転構造が可動的に接合されるベース１と、当該ベースの両端にそれぞれ設置され、当該回転構造と電気的に接続される端子２１と、ベース底部にそれぞれ設置される第１の導通部１１と第２の導通部１２と、当該第１、２の導通部の間に設置される支持部と、当該底部において、支持部に対応する側の反対側に設置される第３の導通部と、当該第３の導通部の両端の近接位置にそれぞれ設置される第１の誤作動防止部と第２の誤作動防止部とからなる。【選択図】図１
0003106679.tif 000002
【実用新案登録請求の範囲】
【請求項１】
回転構造が可動的に接合されるベースと、当該ベースの両端にそれぞれ設置され、当該回転構造と電気的に接続される端子とがあり、当該ベースの底部の一側の両端にそれぞれ第１の導通部と第２の導通部があり、当該第１、２の導通部の間に支持部が設置され、当該底部において、支持部に対応する側の反対側に第３の導通部が設置される、誤作動防止機構を有するローラ構造モジュールにおいて、
当該ベース底部の他の一方の側において、当該第３の導通部の両端の位置の近傍にそれぞれ第１の誤作動防止部と第２の誤作動防止部が設置される、
ことを特徴とする、誤作動防止機構を有するローラ構造モジュール。
【請求項２】
当該第１の誤作動防止部は円形柱体である、ことを特徴とする、請求項１記載の誤作動防止機構を有するローラ構造モジュール。
【請求項３】
当該第２の誤作動防止部は円形柱体である、ことを特徴とする、請求項１記載の誤作動防止機構を有するローラ構造モジュール。
【請求項４】
当該第１の誤作動防止部は突出部である、ことを特徴とする、請求項１記載の誤作動防止機構を有するローラ構造モジュール。
【請求項５】
当該第２の誤作動防止部は突出部である、ことを特徴とする、請求項１記載の誤作動防止機構を有するローラ構造モジュール。
【請求項６】
当該第１の誤作動防止部は第１の導通部に対応する側の反対側に設置される、ことを特徴とする、請求項１記載の誤作動防止機構を有するローラ構造モジュール。
【請求項７】
当該第２の誤作動防止部は第２の導通部に対応する側の反対側に設置される、ことを特徴とする、請求項１記載の誤作動防止機構を有するローラ構造モジュール。
【考案の詳細な説明】
【技術分野】
【０００１】
本考案は、誤作動防止機構を有するローラ構造モジュールに関し、特に、ローラ構造モジュールの両端にあるスイッチを正確に駆動でき、同時に他にある中央スイッチを駆動することが避けられ、誤作動が防止できる誤作動防止機構を有するローラ構造モジュールに関する。
【背景技術】
【０００２】
一般に、従来の３種類の作動方向(前後回転作動や左右揺動作動及び押し作動)を有するローラキーは、図５、６に示すように、銅リング４１(Encoder/エンコーダ、導体)は外部に絶縁ローラスリーブ４が環合され、中空柱体であり、中央にある中空部分に伸び入れる座体５上の二つのプラスチック軸５１が結合することにより支持され、また、各端子４２は銅リング４１の中へ伸び入れ、銅リング４１と電気的に接続され、座体５上に固定され、端子４２と回路板６との接続により、信号は銅リング(エンコーダ)を介して回路板へ伝送され、また、座体５の下方に突出する円柱が設置され、その中の一つの円柱(中央において、比較的に長いものである)は支持柱５２で、他の三つの円柱５３、５４、５５は回路板６上の薄膜スイッチ６１、６２、６３を駆動することに供される。
【０００３】
図７から明らかなように、上記のローラキーを使用する時、当該矢印が指す処に力を印加し(図８参照)、当該力を受ける処の押し下げ量が0.43mmであれば、当該ローラキーをその方向へ下移させて、左上方のスイッチを駆動し、ユーザーが矢印で指す処を更に押して、押し下げ量が0.53mmであれば、中央下方にあるスイッチも駆動され、そのため、従来のローラキーは、使用する時、ユーザーが同一位置を押しつづければ、回路板上にある他のスイッチが駆動され、誤作動を起こす。
【考案の開示】
【考案が解決しようとする課題】
【０００４】
本考案の主な目的は、ユーザーが同一位置を押しつづけることにより、回路板上にある他のスイッチが駆動されることを防止して、誤作動が避けられる誤作動防止機構を有するローラ構造モジュールを提供することにある。
【課題を解決するための手段】
【０００５】
本考案の誤作動防止機構を有するローラ構造モジュールは、回転構造が可動的に接合されるベースと、当該ベースの両端にそれぞれ設置され、当該回転構造と電気的に接続される端子とがあり、当該ベースの底部の一側の両端にそれぞれ第１の導通部と第２の導通部があり、当該第１、２の導通部の間に支持部が設置され、当該底部において、支持部に対応する側の反対側に第３の導通部が設置される。
【考案の効果】
【０００６】
本考案によれば、ローラ構造モジュールの両端にあるスイッチを駆動でき、同時に他にある中央スイッチを駆動することが避けられ、誤作動が防止できる。
【考案を実施するための最良の形態】
【０００７】
図１〜４は、本考案の数多い実施例の一つであり、本考案は、ユーザーと電子装置内蔵電子系統との通信用インタフェースである、誤作動防止機構を有するローラ構造モジュールであり、当該電子装置は、例えば、PDAや携帯電話或いはSmart Phone等の移動通信網設備（図に未表示）であり、また、当該実施例は、前後回転作動、左右揺動作動、及び押し作動を有する３種類の作動方向のローラ構造モジュールで、回転構造２が可動的に接合されるベース１と、当該ベース１の両端にそれぞれ設置され、当該回転構造２と電気的に接続される端子２１とがあり、当該端子２１は上記電子装置の回路板３上に予めに設置された回路接点に電気的に接続され、当該端子２１によりローラ構造モジュールの前後回転作動が判別され、また、当該ベース１の底部の一側の両端には、それぞれ、第１の導通部１１と第２の導通部１２とがあり、当該第１、２の導通部１１、１２の間には支持部１４が設置され、また、当該底部において、支持部１４に対応する側の反対側には第３の導通部１３が設置され、当該第１、２と第３の導通部１１、１２、１３は、それぞれ、ローラ構造モジュールの左右揺動作動又は押し作動を制御するための、回路板３上に予めに設置された薄膜スイッチ３１、３２、３３上に設置され、当該ベース１底部の他の一方の側において、当該第３の導通部１３の両端の位置の近傍に、それぞれ、第１の誤作動防止部１５と第２の誤作動防止部１６が設置され、当該第１、２の誤作動防止部１５、１６は、第１、２の導通部１１、１２に対応する側の反対側に設置され、また、当該第１、２の誤作動防止部１５、１６は、必要に応じて、円形柱体であってもいいし、突出部であってもいい。そのため、上記の構造により、新規な誤作動防止機構を有するローラ構造モジュールが構成される。
【０００８】
本実施例によれば、全体に組み立てられた後、当該ベース１の端子２１は上記設備の予設回路の接点に電気的に接続され、当該第１、２と第３の導通部１１、１２、１３は、それぞれ、設備上の予設した薄膜スイッチ３１、３２、３３上に対応して設置される。本考案は、回転構造２が回転する時、端子２１により、当該回転構造２の前後回転作動を検知するため、第１、２、３の導通部１１、１２、１３により薄膜スイッチ３１、３２、３３を駆動することにより、左右揺動作動や押し作動を行い、ユーザーが使用する時、左右揺動作動を実行する場合、回転構造２を、左へ或いは右へ押し、回転構造２が左端や右端に押される時、当該第１と第２の導通部１１、１２は、下へ移動して、薄膜スイッチ３１、３２を駆動し、更に押せば、第３の導通部１３は、更に下へ移動し、当該第３の導通部１３が薄膜スイッチ３３を駆動する前、当該第１の或いは第２の誤作動防止部１５、１６は、回路板３に当接して作用し、当該第３の導通部１３が薄膜スイッチ３３を駆動することを阻止する。
【０００９】
図４に示すように、矢印が指す処に力を印可することにより、当該ローラ構造モジュールは斜めになり、当該第１の誤作動防止部１５が回路板３に当接する時、停止され、この時、当該第３の導通部１３と、それに対応する薄膜スイッチ３３との間には、十分な距離が維持され、これにより、薄膜スイッチ３３が第３の導通部１３似よって駆動されることを防止できる。また、接触式であっても、表面粘着式であっても、また、当該ローラ構造モジュールにフレームがあるかどうか、ローラ構造モジュールの両端のスイッチを正確に駆動でき、これにより、同時にもう一つの中央スイッチを駆動することが避けられ、誤作動が防止できる。
【００１０】
以上の説明は、ただ、本考案のよりよい実施例であり、本考案の実施範囲を制限するものではなく、また、本願の実用新案登録請求の範囲や明細書内容に従って等価修正や変更も、本考案の請求範囲に含まれている。
【図面の簡単な説明】
【００１１】
【図１】本考案の立体外観の概念図である。
【図２】本考案の底面から見る時の状態の概念図である。
【図３】本考案の使用状態の概念図である。
【図４】本考案の使用状態の概念図である。
【図５】従来の立体分解の概念図である。
【図６】従来の底面から見る時の状態の概念図である。
【図７】従来の使用状態の概念図である。
【図８】従来の押し力と円柱位置の関係図である。
【符号の説明】
【００１２】
（本考案部分）：
１         ベース
１１       第１の導通部
１２       第２の導通部
１３       第３の導通部
１４       支持部
１５       第１の誤作動防止部
１６       第２の誤作動防止部
２         回転構造
２１       端子
３         回路板
３１、３２、３３ 薄膜スイッチ
（従来部分）：
４         絶縁ローラスリーブ
４１       銅リング
４２       端子
５         座体
５１       プラスチック軸
５２       支持柱
５３、５４、５５ 円柱
６         回路板
６１、６２、６３ 薄膜スイッチ
【図１】
0003106679.tif 000003
【図２】
0003106679.tif 000004
【図３】
0003106679.tif 000005
【図４】
0003106679.tif 000006
【図５】
0003106679.tif 000007
【図６】
0003106679.tif 000008
【図７】
0003106679.tif 000009
【図８】
0003106679.tif 000010